(57)【特許請求の範囲】
【請求項１】
柱と床梁と天井梁を箱形に接合した骨組構造体からなり、骨組構造体の少なくとも１個のコーナー部を柱省略コーナー部としてなる柱省略建物ユニットの複数個を隣接して接合して構築されるユニット建物において、
建物内の同一面上に２個以上の柱省略接合部を定め、各柱省略接合部のそれぞれにて、複数の柱省略建物ユニットのそれぞれに定めた柱省略コーナー部を互いに突き合わせ配置し、
２個以上の柱省略接合部を含む同一面上に位置する、３個以上の柱省略建物ユニットの天井梁に渡り、それら天井梁を補強する補強梁を設け、
複数個の柱省略建物ユニットが、広幅柱省略建物ユニットと狭幅柱省略建物ユニットとからなり、狭幅柱省略建物ユニットの骨組構造体の外壁形成面に外面突出部を設けてなることを特徴とするユニット建物。
【請求項２】
請求項１に記載のユニット建物の施工方法において、
柱省略建物ユニットとして、柱省略コーナー部に仮柱を着脱自在としてなるものを用い、
柱省略建物ユニットに補強梁を接続完了するまでは仮柱を設けておき、補強梁の接続完了後に仮柱を取外すことを特徴とするユニット建物の施工方法。
【発明の詳細な説明】
【０００１】
【発明の属する技術分野】
本発明はユニット建物及びその施工方法に関する。
【０００２】
【従来の技術】
一般に、ユニット建物は、複数の建物ユニットを隣接設置して構築される。そして、建物ユニットは、柱と床梁と天井梁を箱形に接合して構成される。このとき、建物内に柱に遮られない広く連続した居室空間を形成するためには、輸送制限寸法範囲内で最大の幅をもつ建物ユニットを用いることとなる（従来技術１）。
【０００３】
尚、本出願人は、特開平8-277580号公報に記載される如く、複数の建物ユニットそれぞれに定めた少なくとも 1個の柱省略コーナー部を柱省略接合部にて互いに突き合わせ配置し、柱省略接合部の一方側の建物ユニットの天井梁側から、他方側の建物ユニットの天井梁側に渡る補強梁を隣接ユニット間隙に設け、補強梁の両端部は、柱省略接合部の一方側の建物ユニットの柱回りと、柱省略接合部の他方側の建物ユニットの柱回りのそれぞれに接続され、補強梁の中央部には、複数の建物ユニットの各柱省略コーナー部が接続されてなるものとするユニット建物を提案している（従来技術２）。
【０００４】
【発明が解決しようとする課題】
従来技術１では、輸送制限寸法との関係で、建物ユニットの外壁に突出する出窓、雨戸、シャッター、庇等の外面突出部を現場施工としている。
【０００５】
また、従来技術２でも、建物ユニットの外壁に突出する外面突出部の施工についての開示がない。
【０００６】
従って、従来技術では、建物ユニットの工場生産化率を高めながら、柱省略した広い連続空間を形成することの考慮がない。
【０００７】
本発明の課題は、建物ユニットの工場生産化率を高めながら、柱省略した広い連続空間を形成することにある。
【０００８】
【課題を解決するための手段】
請求項１に記載の本発明は、柱と床梁と天井梁を箱形に接合した骨組構造体からなり、骨組構造体の少なくとも１個のコーナー部を柱省略コーナー部としてなる柱省略建物ユニットの複数個を隣接して接合して構築されるユニット建物において、建物内の同一面上に２個以上の柱省略接合部を定め、各柱省略接合部のそれぞれにて、複数の柱省略建物ユニットのそれぞれに定めた柱省略コーナー部を互いに突き合わせ配置し、２個以上の柱省略接合部を含む同一面上に位置する、３個以上の柱省略建物ユニットの天井梁に渡り、それら天井梁を補強する補強梁を設け、複数個の柱省略建物ユニットが、広幅柱省略建物ユニットと狭幅柱省略建物ユニットとからなり、狭幅柱省略建物ユニットの骨組構造体の外壁形成面に外面突出部を設けてなるようにしたものである。
【０００９】
請求項２に記載の本発明は、請求項１に記載のユニット建物の施工方法において、柱省略建物ユニットとして、柱省略コーナー部に仮柱を着脱自在としてなるものを用い、柱省略建物ユニットに補強梁を接続完了するまでは仮柱を設けておき、補強梁の接続完了後に仮柱を取外すことようにしたものである。
【００１５】
本発明によれば以下の如くの作用がある。
▲１▼柱省略建物ユニットを構成する骨組構造体の外壁形成面に出窓、雨戸、シャッター、庇等の外面突出部を設けることとした。従って、建物ユニットの外面突出部を工場施工段階で取付け完了でき、現場工期を短縮できる。即ち、建物ユニットの工場生産化率を高めながら、柱省略した広い連続空間を形成できる。
【００１６】
▲２▼広幅柱省略建物ユニットと狭幅柱省略建物ユニットとからなるユニット建物において、狭幅建物ユニットに上記▲１▼の外面突出部を設けることとした。従って、広幅柱省略建物ユニットは外面突出部を備えない状態で輸送制限範囲内にて設定される最大の幅を付与され、狭幅柱省略建物ユニットは外面突出部を備えた状態で輸送制限範囲内にて許容される最大の幅を付与され得るものとなり、建物ユニットの輸送効率を向上しながら、柱省略した広い連続空間を形成できる。
【００１７】
▲３▼ユニット建物の天井構造強度は、建物ユニットの天井梁の断面性能の和に、補強梁の断面性能をも加えたものとなる。従って、柱省略した天井スパンを大きく拡大し、柱省略した広い連続空間を形成できる。
【００１８】
▲４▼建物ユニットの柱省略コーナー部に設けた仮柱は、建物ユニットの工場製造段階、輸送保管段階を経た現地据付け後、補強梁の接続完了まで取外されない。従って、補強梁の接続時の建物ユニットの強度を低下せしめることがなく、施工段階の建物強度も十分に確保でき、施工性が良い。
【００１９】
【発明の実施の形態】
図１は建物ユニットを示す模式図、図２は第１実施形態のユニット建物を示す模式図、図３は補強梁を示す模式図、図４は補強梁による補強構造を示す模式図、図５は補強梁の端部接続構造を示す模式図、図６は補強梁の端部支持構造を示す模式図、図７は補強梁の中間部接続構造を示す模式図、図８は補強梁の中間部支持構造を示す模式図、図９は参考例１を示す模式図、図１０は補強梁を示す模式図、図１１は第２実施形態を示す模式図、図１２は第３実施形態を示す模式図、図１３は第４実施形態を示す模式図、図１４は参考例２を示す模式図、図１５は第５実施形態を示す模式図、図１６は参考例３を示す模式図、図１７は第６実施形態を示す模式図である。
【００２０】
第１実施形態〜第６実施形態のユニット建物１０は、工場生産した広幅の標準建物ユニット１１（図１（Ａ））、広幅の第１標準柱省略建物ユニット１２（図１（Ｂ））、広幅の第２柱省略建物ユニット１３（図１（Ｃ））、狭幅の第１サブ柱省略建物ユニット１４（図１（Ｄ））、狭幅の第２サブ柱省略建物ユニット１５（図１（Ｅ））のうちから選択されたものを建築現場に輸送し、予め設置してある基礎の上にて隣接設置したものである。
【００２１】
広幅の標準建物ユニット１１は、図１（Ａ）に示す如く、 4本の角鋼管製柱２１と、 4本の型鋼製床梁２２と、 4本の型鋼製天井梁２３とを箱形に接合した骨組構造体である。建物ユニット１１は、 4個のコーナー部で、相交差する床梁２２をジョイントピース２２Ａにより柱２１の下端部に接続し、相交差する天井梁２３をジョイントピース２３Ａにより柱２１の上端部に接合して構成される。
【００２２】
広幅の第１柱省略建物ユニット１２、狭幅の第１サブ柱省略建物ユニット１４は、図１（Ｂ）、（Ｄ）に示す如く、広幅の標準建物ユニット１１（及び狭幅のサブ標準建物ユニット（不図示））の 4本の柱２１のうちの 1本の柱２１を省略したものである。柱省略建物ユニット１２、１４は、柱省略コーナー部以外の 3個のコーナー部では、相交差する床梁２２をジョイントピース２２Ａにより柱２１の下端部に接合し、相交差する天井梁２３をジョイントピース２３Ａにより柱２１の上端部に接合するとともに、柱省略コーナー部では、相交差する床梁２２をジョイントピース２２Ｂにより短柱２４に接合し、相交差する天井梁２３をジョイントピース２３Ｂにより短柱２５に接合して構成される。そして、柱省略建物ユニット１２、１４では、柱省略コーナー部に仮柱２６を着脱自在としている。仮柱２６は、ボルト、ピン等の着脱手段により、上述の短柱２４と短柱２５とに着脱自在に結合される。
【００２３】
広幅の第２柱省略建物ユニット１３、狭幅の第２サブ柱省略建物ユニット１５は、図１（Ｃ）、（Ｅ）に示す如く、広幅の標準建物ユニット１１、狭幅のサブ標準建物ユニット（不図示）の 4本の柱２１のうちの 2本の柱２１を省略し、その 2個の柱省略コーナー部のそれぞれに仮柱２６を着脱自在としたものである。
【００２４】
標準建物ユニット１１、柱省略建物ユニット１２、１３、１４、１５はともに、天井水平構面の対角線上に位置する柱２１（短柱２５）の頭部間に水平ブレース２７を設け、建物ユニット１１、１２、１３、１４、１５の骨組強度を向上せしめている。
【００２５】
（第１実施形態）（図２〜図８）
第１実施形態のユニット建物１０は、図２に示す如く、Ｘ方向の左側にて互いにＹ方向に直列をなす 4個の狭幅の第１サブ柱省略建物ユニット１４を配置し、Ｘ方向の右側にて互いにＹ方向に直列をなす 4個の狭幅の第１サブ柱省略建物ユニット１４を配置してある。そして、Ｙ方向の手前側に位置する 4個の第１サブ柱省略建物ユニット１４それぞれの柱省略コーナー部を柱省略接合部Ａ1 にて互いに突き合わせ配置し、Ｙ方向の奥側に位置する 4個の第１サブ柱省略建物ユニット１４それぞれの柱省略コーナー部を柱省略接合部Ａ2 にて互いに突き合わせ配置し、Ｙ方向の中間に位置する 4個の第１サブ柱省略建物ユニット１４それぞれの柱ありコーナー部を柱あり接合部Ｂにて互いに突き合わせ配置してなるものである。
【００２６】
そして、柱省略接合部Ａ1 、Ａ2 、Ｂの左側にてＹ方向に相隣る 4個の第１サブ柱省略建物ユニット１４の天井梁２３、２３、２３、２３と、柱省略接合部Ａ1 、Ａ2 、Ｂの右側にてＹ方向に相隣る 4個の第１サブ柱省略建物ユニット１４の天井梁２３、２３、２３、２３との間に、それら天井梁２３を補強する補強梁３１を設けている。このとき、補強梁３１の全長を、Ｙ方向に相隣る 4個の第１サブ柱省略建物ユニット１４の全範囲に渡る長さとしている。
【００２７】
これにより、ユニット建物１０は、Ｙ方向の手前側と奥側のそれぞれに、 4個の第１サブ柱省略建物ユニット１４によって柱２１に遮られることのない広く連続した居室空間を形成するものとしている。
【００２８】
尚、ユニット建物１０にあっては、上述した全 8個の第１サブ柱省略建物ユニット１４により下階部分を構築し、この下階部分の上に全 4個の標準建物ユニット１１を搭載して上階部分を構築することとしている。
【００２９】
このとき、ユニット建物１０にあっては、建物外郭に位置する第１サブ柱省略建物ユニット１４の骨組構造体の外壁形成面に、雨戸２８Ａ、シャッタ２８Ｂ、庇２８Ｃ等の外面突出部を設けている。これらの雨戸２８Ａ、シャッタ２８Ｂ、庇２８Ｃは、それら第１サブ柱省略建物ユニット１４の工場生産段階で取付け完了される。
【００３０】
尚、ユニット建物１０において、全 8個の第１サブ柱省略建物ユニット１４の接続構造は、以下の如くなされる。
【００３１】
全 8個の第１サブ柱省略建物ユニット１４の柱省略接合部Ａ1 、Ａ2 は、補強梁３１により補強される。補強梁３１は、図３に示す如くの長尺板材からなり、柱省略接合部Ａ1 、Ａ2 、柱あり梁接合部Ｂの左側にてＹ方向に相隣る 4個の第１サブ柱省略建物ユニット１４の天井梁２３、２３、２３、２３と、柱省略接合部Ａ1 、Ａ2 、柱あり接合部Ｂの右側にてＹ方向に相隣る 4個の第１サブ柱省略建物ユニット１４の天井梁２３、２３、２３、２３との間に設けられる。図４において、２９Ａは下階天井板、２９Ｂは上階床板である。
【００３２】
補強梁３１の一端部と他端部は、図５に示す如く、Ｙ方向の両外側にて相隣る左右の第１サブ柱省略建物ユニット１４、１４の各柱２１に接続される。このとき、補強梁３１の端部は、高力ボルト１０１、１０２を用いた天井梁２３、ジョイントピース２３Ａとの高力ボルト接合を介して柱２１に接続される。
【００３３】
補強梁３１の柱省略接合部Ａ1 、Ａ2 に対応する中間部は、図７、図８に示す如く、柱省略接合部Ａ1 もしくはＡ2 回りの 4個の第１サブ柱省略建物ユニット１４の各柱省略コーナー部が接続される。このとき、補強梁３１のこの中間部は、高力ボルト１０１、１０２を用いた天井梁２３、ジョイントピース２３Ｂとの接合を介して短柱２５に接続される。
【００３４】
補強梁３１の柱あり接合部Ｂに対応する中間部は、柱あり接合部Ｂ回りの 4個の第１サブ柱省略建物ユニット１４の各柱ありコーナー部が接続される。このとき、補強梁３１のこの中間部は、高力ボルトを用いた天井梁２３、ジョイントピース２３Ａとの接合を介して柱２１に接続される（不図示）。
【００３５】
然るに、図６に示す如く、補強梁３１の一端部と他端部で、補強梁３１を挟んで相対することとなる第１サブ柱省略建物ユニット１４、１４の相対する天井梁２３、２３のフランジ下面には連結板１０３が添設され、ボルト１０４、１０５により固定される。この連結板１０３は、補強梁３１の設置前に取付けられ、補強梁３１の設置時に該補強梁３１を載置できる受板として機能し、補強梁３１に設けてある高力ボルト１０１、１０２の下穴位置と天井梁２３、２３に設けてある高力ボルト１０１、１０２の下孔位置とを容易に一致させることを可能とする。
【００３６】
尚、補強梁３１の上記連結板１０３に支持される部分には、図６（Ａ）に示す如く、切欠き３１Ａを設け、補強梁３１の切欠き３１Ａを設けた下面を連結板１０３に支持させるとき、補強梁３１に設けてある高力ボルト１０１、１０２の下穴位置１０１Ａ、１０２Ａと天井梁２３、２３に設けてある高力ボルト１０１、１０２の下穴位置１０１Ｂ、１０２Ｂとを確実に一致せしめるものとしている。
【００３７】
補強梁３１が上述の如くにて柱２１、短柱２５に接続されるとき、各建物ユニット１３の柱省略コーナー部には短柱２５に着脱自在の仮柱２６が未だ接合されている。そして、補強梁３１が柱２１、短柱２５に接続完了した後、仮柱２６は短柱２５から取外される。
【００３８】
尚、補強梁３１は、補強梁３１を挟んで相隣る 2個の建物ユニット１３、１３の相接する天井梁２３、２３と、ジョイントピース２３Ａ、２３Ｂのない部分でも、ボルト等を用いて接合されて良い。
【００３９】
また、ユニット建物１０にあっては、補強梁３１を挟まないで相対する第１サブ柱省略建物ユニット１４、１４の天井梁２３、２３を接合する接合部で、相対する天井梁２３、２３（もしくはジョイントピース２３Ａ、２３Ａ）のフランジ下面にも連結板１０３を添設し、ボルト１０４、１０５により固定するものであって良い。
【００４０】
また、ユニット建物１０において、補強梁３１の上述の接合は、高力ボルトに限らず、単なる一般のボルトによることもできる。
【００４１】
従って、本実施形態によれば、以下の作用がある。
▲１▼柱省略建物ユニット１４を構成する骨組構造体の外壁形成面に雨戸２８Ａ、シャッタ２８Ｂ、庇２８Ｃ等の外面突出部を設けることとした。従って、建物ユニット１４の外面突出部を工場施工段階で取付け完了でき、現場工期を短縮できる。即ち、建物ユニットの工場生産化率を高めながら、柱省略した広い連続空間を形成できる。
【００４２】
従って、柱省略建物ユニット１４の全幅は、雨戸２８Ａ〜庇２８Ｃを取付けた状態で輸送制限寸法Ｌより狭幅（柱省略建物ユニット１３の骨組構造体の幅を例えばＬ／2 とする）となるように設定される（図２（Ａ））。尚、従来技術では、ユニット建物１０を標準建物ユニット１１の組合わせにて構築するとき、標準建物ユニット１１の全幅を輸送制限寸法Ｌとしており、雨戸２８Ａ〜庇２８Ｃは現場取付けすることが必須となる。
【００４３】
▲２▼ユニット建物１０の天井構造強度は、建物ユニット１４の天井梁２３の断面性能の和に、補強梁３１の断面性能をも加えたものとなる。従って、柱省略した天井スパンを大きく拡大し、柱省略した広い連続空間を形成できる。
【００４４】
▲３▼建物ユニット１４の柱省略コーナー部に設けた仮柱２６は、建物ユニット１４の工場製造段階、輸送保管段階を経た現地据付け後、補強梁３１の接続完了まで取外されない。従って、補強梁３１の接続時の建物ユニット１４の強度を低下せしめることがなく、施工段階の建物強度も十分に確保でき、施工性が良い。
【００４５】
（参考例１）（図９、図１０）
参考例１が第１実施形態と異なる点は、補強梁３１に代わる補強梁４１、４２を用いたことにある。参考例１では、図９に示す如く、(a)柱省略接合部Ａ1回りに位置する４個の第１サブ柱省略建物ユニット１４について、柱省略接合部Ａ1の手前側にてＸ方向に相隣る２個の第１サブ柱省略建物ユニット１４の天井梁２３、２３と、柱省略接合部Ａ1の奥側にてＸ方向に相隣る２個の第１サブ柱省略建物ユニット１４の天井梁２３、２３との間に補強梁４１を設けるとともに、(b)柱省略接合部Ａ2回りに位置する４個の第１サブ柱省略建物ユニット１４について、柱省略接合部Ａ2の手前側にてＸ方向に相隣る２個の第１サブ柱省略建物ユニット１４の天井梁２３、２３と、柱省略接合部Ａ2の奥側にてＸ方向に相隣る２個の第１サブ柱省略建物ユニット１４の天井梁２３、２３との間に補強梁４２を設けた。
補強梁４１、４２は、図１０に示す如くの長尺板材からなる。
【００４６】
（第２実施形態）（図１１）
第２実施形態のユニット建物１０は、第１実施形態と異なり、図１１に示す如く、Ｘ方向の左側にて互いにＹ方向に直列をなす狭幅の第１サブ柱省略建物ユニット１４、第２サブ柱省略建物ユニット１５、第２サブ柱省略建物ユニット１５、第１サブ柱省略建物ユニット１４を配置し、Ｘ方向の右側にて互いにＹ方向に直列をなす狭幅の第１サブ柱省略建物ユニット１４、第２サブ柱省略建物ユニット１５、第２サブ柱省略建物ユニット１５、第１サブ柱省略建物ユニット１４を配置した。
【００４７】
そして、ユニット建物１０にあっては、Ｙ方向の手前側に位置する各 2個の第１サブ柱省略建物ユニット１４、第２サブ柱省略建物ユニット１５のそれぞれの柱省略コーナー部を柱省略接合部Ａ1 にて互いに突き合わせ配置し、Ｙ方向の奥側に位置する各 2個の第１サブ柱省略建物ユニット１４、第２サブ柱省略建物ユニット１５のそれぞれの柱省略コーナー部を柱省略接合部Ａ2 にて互いに突き合わせ配置し、Ｙ方向の中間に位置する 4個の第２サブ柱省略建物ユニット１５のそれぞれの柱省略コーナー部を柱省略接合部Ａ3 にて互いに突き合わせ配置した。
【００４８】
また、ユニット建物１０にあっては、柱省略接合部Ａ1 、Ａ3 、Ａ2 の左側にてＹ方向に相隣る 4個の第１サブ柱省略建物ユニット１４、第２サブ柱省略建物ユニット１５、１５、第１サブ柱省略建物ユニット１４と、柱省略接合部Ａ1 、Ａ3 、Ａ2 の右側にてＹ方向に相隣る 4個の第１サブ柱省略建物ユニット１４、第２サブ柱省略建物ユニット１５、１５、第１サブ柱省略建物ユニット１４との間に、それらの天井梁２３を補強する補強梁５１を設けた。
【００４９】
このユニット建物１０にあっても、狭幅の第１サブ柱省略建物ユニット１４の骨組構造体の外壁形成面に雨戸２８Ａ〜庇２８Ｃを設けたから、建物ユニット１４の工場生産化率を高めながら、柱省略した広い連続空間を形成できる。
【００５０】
（第３実施形態）（図１２）
第３実施形態のユニット建物１０は、図１２に示す如く、Ｙ方向の手前側に互いにＸ方向に直列をなす広幅の第１柱省略建物ユニット１２、狭幅の第２サブ柱省略建物ユニット１５、狭幅の第１サブ柱省略建物ユニット１４を配置し、Ｙ方向の奥側に互いにＸ方向に直列をなす広幅の第１柱省略建物ユニット１２、狭幅の第２サブ柱省略建物ユニット１５、狭幅の第１サブ柱省略建物ユニット１４を配置した。
【００５１】
そして、ユニット建物１０にあっては、各 2個の第１柱省略建物ユニット１２、１２、第２サブ柱省略建物ユニット１５、１５それぞれの柱省略コーナー部を柱省略接合部Ａ1 にて互いに突き合わせ配置し、各 2個の第２サブ柱省略建物ユニット１５、１５、第１サブ柱省略建物ユニット１４、１４それぞれの柱省略コーナー部を柱省略接合部Ａ2 にて互いに突き合わせ配置した。
【００５２】
また、ユニット建物１０にあっては、柱省略接合部Ａ1 、Ａ2 の手前側にてＸ方向に相隣る 3個の第１柱省略建物ユニット１２、第２サブ柱省略建物ユニット１５、第１サブ柱省略建物ユニット１４と、柱省略接合部Ａ1 、Ａ2 の奥側にてＸ方向に相隣る 3個の第１柱省略建物ユニット１２、第２サブ柱省略建物ユニット１５、第１サブ柱省略建物ユニット１４との間に、それらの天井梁２３を補強する補強梁６１を設けた。
【００５３】
このユニット建物１０にあっても、狭幅の第１サブ柱省略建物ユニット１４の骨組構造体の外壁形成面に雨戸２８Ａ等の外面突出部を設けたから、建物ユニット１４の工場生産化率を高めながら、柱省略した広い連続空間を形成できる。
【００５４】
特に、このユニット建物１０では、広幅柱省略建物ユニット１２と狭幅柱省略建物ユニット１４とからなるユニット建物１０において、狭幅柱省略建物ユニット１４に雨戸２８Ａ等の外面突出部を設けることとした。従って、広幅柱省略建物ユニット１２は外面突出部を備えない状態で輸送制限範囲内にて許容される最大の幅を付与され、狭幅柱省略建物ユニット１４は外面突出部を備えた状態で輸送制限範囲内にて許容される最大の幅を付与され得るものとなり、建物ユニット１２、１４の輸送効率を向上しながら、柱省略した広い連続空間を形成できる。
【００５５】
（第４実施形態）（図１３）
第４実施形態のユニット建物１０は、図１３に示す如く、Ｙ方向の手前側に互いにＸ方向に直列をなす広幅の第１柱省略建物ユニット１２、狭幅の第２サブ柱省略建物ユニット１５、狭幅の第１サブ柱省略建物ユニット１４を配置し、Ｙ方向の奥側に互いにＸ方向に直列をなす広幅の第１柱省略建物ユニット１２、１２、広幅の標準建物ユニット１１を配置した。Ｙ方向の奥側の標準建物ユニット１１は他の部分に対しＸ方向に突出する出隅部を構成している。
【００５６】
そして、ユニット建物１０にあっては、 3個の第１柱省略建物ユニット１２、 1個の第２サブ柱省略建物ユニット１５の柱省略コーナー部を柱省略接合部Ａ1 にて互いに突き合わせ配置し、相隣る第１サブ柱省略建物ユニット１４、第２サブ柱省略建物ユニット１５のそれぞれの柱省略コーナー部を（第１柱省略建物ユニット１２の中間部に沿う位置にて定められる）柱省略接合部Ａ2 にて互いに突き合わせ配置した。
【００５７】
また、ユニット建物１０にあっては、柱省略接合部Ａ1 、Ａ2 の手前側にてＸ方向に相隣る 3個の第１柱省略建物ユニット１２、第２サブ柱省略建物ユニット１５、第１サブ柱省略建物ユニット１４と、柱省略接合部Ａ1 、Ａ2 の奥側にてＸ方向に相隣る 2個の第１柱省略建物ユニット１２、１２との間に、それらの天井梁２３を補強する補強梁７１を設けた。
【００５８】
このユニット建物１０にあっても、狭幅の第１サブ柱省略建物ユニット１４の骨組構造体の外壁形成面に雨戸２８Ａ等の外面突出部を設けたから、建物ユニット１４の工場生産化率を高めながら、柱省略した広い連続空間を形成できる。
【００５９】
（参考例２）（図１４）
参考例２のユニット建物１０は、図１４に示す如く、Ｙ方向の手前側に互いにＸ方向に直列をなす広幅の第１柱省略建物ユニット１２、狭幅の第１サブ柱省略建物ユニット１４を配置し、Ｙ方向の奥側に互いにＸ方向に直列をなす広幅の第１柱省略建物ユニット１２を配置した。Ｙ方向の奥側の 1個の第１柱省略建物ユニット１２は他の部分に対しＸ方向に突出する出隅部を構成している。
【００６０】
そして、ユニット建物１０にあっては、 3個の第１柱省略建物ユニット１２、 1個の第１サブ柱省略建物ユニット１４の柱省略コーナー部を柱省略接合部Ａにて互いに突き合わせ配置した。
【００６１】
また、ユニット建物１０にあっては、柱省略接合部Ａの手前側にてＸ方向に相隣る 2個の第１柱省略建物ユニット１２、第１サブ柱省略建物ユニット１４と、柱省略接合部Ａの奥側にてＸ方向に相隣る 2個の第１柱省略建物ユニット１２、１２との間に、それらの天井梁２３を補強する補強梁８１を設けた。
【００６２】
このユニット建物１０にあっても、狭幅の第１サブ柱省略建物ユニット１４の骨組構造体の外壁形成面に雨戸２８Ａ等の外面突出部を設けたから、建物ユニット１４の工場生産化率を高めながら、柱省略した広い連続空間を形成できる。
【００６３】
（第５実施形態）（図１５）
第５実施形態のユニット建物１０は、図１５に示す如く、Ｙ方向の手前側に互いにＸ方向に直列をなす狭幅の第１サブ柱省略建物ユニット１４、広幅の第２柱省略建物ユニット１３、狭幅の第１柱省略建物ユニット１４を配置し、Ｙ方向の奥側にも互いにＸ方向に直列をなす狭幅の第１サブ柱省略建物ユニット１４、広幅の第２柱省略建物ユニット１３、狭幅の第１サブ柱省略建物ユニット１４を配置した。
【００６４】
そして、ユニット建物１０にあっては、各 2個の第１サブ柱省略建物ユニット１４、第２柱省略建物ユニット１３の柱省略コーナー部を柱省略接合部Ａ1 にて互いに突き合わせ配置し、各 2個の第１サブ柱省略建物ユニット１４、第２柱省略建物ユニット１３の柱省略コーナー部を柱省略接合部Ａ2 にて互いに突き合わせ配置した。
【００６５】
また、ユニット建物１０にあっては、柱省略接合部Ａ1 、Ａ2 の手前側にてＸ方向に相隣る 3個の第１サブ柱省略建物ユニット１４と、第２柱省略建物ユニット１３、第１サブ柱省略建物ユニット１４と、柱省略接合部Ａ1 、Ａ2 の奥側にてＸ方向に相隣る 3個の第１サブ柱省略建物ユニット１４、第２柱省略建物ユニット１３、第１サブ柱省略建物ユニット１４との間に、それらの天井梁２３を補強する補強梁９１を設けた。
【００６６】
このユニット建物１０にあっても、狭幅の第１サブ柱省略建物ユニット１４の骨組構造体の外壁形成面に雨戸２８Ａ等の外面突出部を設けたから、建物ユニット１４の工場生産化率を高めながら、柱省略した広い連続空間を形成できる。
【００６７】
（参考例３）（図１６）
参考例３のユニット建物１０は、図１６に示す如く、Ｙ方向の手前側に標準建物ユニット１１を配置し、Ｙ方向の奥側に互いにＸ方向に直列をなす 2個の狭幅の第１サブ柱省略建物ユニット１４、１４を配置した。
【００６８】
そして、ユニット建物１０にあっては、相隣る第１サブ柱省略建物ユニット１４、１４のそれぞれの柱省略コーナー部を（標準建物ユニット１１の中間部に沿う位置に定められる）柱省略接合部Ａにて互いに突き合わせ配置した。
【００６９】
また、ユニット建物１０にあっては、柱省略接合部Ａの手前側に配置される標準建物ユニット１１と、柱省略接合部Ａの奥側にてＸ方向に相隣る 2個の第１サブ柱省略建物ユニット１４、１４との間に、それらの天井梁２３を補強する補強梁１１１を設けた。
【００７０】
このユニット建物１０にあっても、狭幅の第１サブ柱省略建物ユニット１４の骨組構造体の外壁形成面に雨戸２８Ａ等の外面突出部を設けたから、建物ユニット１４の工場生産化率を高めながら、柱省略した広い連続空間を形成できる。
【００７１】
（第６実施形態）（図１７）
第６実施形態のユニット建物１０は、図１７に示す如く、Ｙ方向の手前側に互いにＸ方向に直列をなす広幅の第１柱省略建物ユニット１２、第２柱省略建物ユニット１３、第２柱省略建物ユニット１３、第１柱省略建物ユニット１２を配置し、Ｙ方向の奥側にも互いにＸ方向に直列をなす広幅の第１柱省略建物ユニット１２、第２柱省略建物ユニット１３、第２柱省略建物ユニット１３、第１柱省略建物ユニット１２を配置した。
【００７２】
そして、ユニット建物１０にあっては、各 2個の第１柱省略建物ユニット１２、１２、第２柱省略建物ユニット１３、１３それぞれの柱省略コーナー部を柱省略接合部Ａ1 にて互いに突き合わせ配置し、 4個の第２柱省略建物ユニット１３、１３、１３、１３それぞれの柱省略コーナー部を柱省略接合部Ａ2 にて互いに突き合わせ配置し、各 2個の第２柱省略建物ユニット１３、１３、第１柱省略建物ユニット１２、１２それぞれの柱省略コーナー部を柱省略接合部Ａ3 にて互いいに突き合わせ配置した。
【００７３】
また、ユニット建物１０にあっては、柱省略接合部Ａ1 、Ａ2 、Ａ3 の手前側にてＸ方向に相隣る 4個の柱省略建物ユニット１２、１３、１３、１２と、柱省略接合部Ａ1 、Ａ2 、Ａ3 の奥側にてＸ方向に相隣る 4個の柱省略建物ユニット１２、１３、１３、１２との間に、それらの天井梁２３を補強する補強梁１２１を設けた。
【００７４】
このユニット建物１０によれば、柱省略した極めて広い連続空間を形成できる。
【００７５】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００７６】
【発明の効果】
以上のように本発明によれば、建物ユニットの工場生産化率を高めながら、柱省略した広い連続空間を形成できる。
【図面の簡単な説明】
【図１】  図１は建物ユニットを示す模式図である。
【図２】  図２は第１実施形態のユニット建物を示す模式図である。
【図３】  図３は補強梁を示す模式図である。
【図４】  図４は補強梁による補強構造を示す模式図である。
【図５】  図５は補強梁の端部接続構造を示す模式図である。
【図６】  図６は補強梁の端部支持構造を示す模式図である。
【図７】  図７は補強梁の中間部接続構造を示す模式図である。
【図８】  図８は補強梁の中間部支持構造を示す模式図である。
【図９】  図９は参考例１を示す模式図である。
【図１０】  図１０は補強梁を示す模式図である。
【図１１】  図１１は第２実施形態を示す模式図である。
【図１２】  図１２は第３実施形態を示す模式図である。
【図１３】  図１３は第４実施形態を示す模式図である。
【図１４】  図１４は参考例２を示す模式図である。
【図１５】  図１５は第５実施形態を示す模式図である。
【図１６】  図１６は参考例３を示す模式図である。
【図１７】  図１７は第６実施形態を示す模式図である。
【符号の説明】
１０  ユニット建物
１１  標準建物ユニット
１２  第１柱省略建物ユニット
１３  第２柱省略建物ユニット
１４  第１サブ柱省略建物ユニット
１５  第２サブ柱省略建物ユニット
２１  柱
２２  床梁
２３  天井梁
２６  仮柱
２８Ａ〜２８Ｃ  外面突出部（雨戸、シャッタ、庇）
３１、５１、６１、７１、９１、１２１  補強梁
Ａ1、Ａ2、Ａ3  柱省略接合部
【図１】
0003802633.tif 000002
【図２】
0003802633.tif 000003
【図３】
0003802633.tif 000004
【図４】
0003802633.tif 000005
【図５】
0003802633.tif 000006
【図６】
0003802633.tif 000007
【図７】
0003802633.tif 000008
【図８】
0003802633.tif 000009
【図９】
0003802633.tif 000010
【図１０】
0003802633.tif 000011
【図１１】
0003802633.tif 000012
【図１２】
0003802633.tif 000013
【図１３】
0003802633.tif 000014
【図１４】
0003802633.tif 000015
【図１５】
0003802633.tif 000016
【図１６】
0003802633.tif 000017
【図１７】
0003802633.tif 000018